(57)【要約】ホイール付きレジスタンスチェア１０が、ユーザの動作を導くことによって、ユーザが正しい腹筋運動を実行することを補助する。このレジスタンスチェア１０は、ユーザーの背中の支持及び腹筋運動における伸長状態から回復状態までの補助を与える背部補助部を有する枢軸状背部に接続された座部１２を含む。【選択図】図１
2009533158.tif 000002
【特許請求の範囲】
【請求項１】
前方端および後方端を有する座部；
第１の端部および第２の端部を有する第１のアームであって、前記第１の端部が前記座部の前記後方端を回転可能に係合する第１のアーム；
第１の端部および第２の端部を有する第２のアームであって、前記第２の端部が前記第１のアームの前記第２の端部を枢軸で係合する第２のアーム；
前記第２のアームの前記第１の端部に固定される回転車軸；
前記回転車軸に固定されて前記第１および第２のアームが前記座部から離れて完全に拡張した位置まで回転し、かつ枢軸で動くことを可能にする２つ以上のホイール；
前記座部の前記後方端と前記回転車軸との間に固定される一つ以上のレジスタンスバンドと、前記第１のアームに固定され、ユーザの背中をサポートするための背もたれ；
を備えることを特徴とするレジスタンスチェア。
【請求項２】
前記第１のアームの前記第２の端部に固定される一つ以上のショルダストラップを更に備えることを特徴とする請求項１記載のレジスタンスチェア。
【請求項３】
前記第２の端部に固定され、前記ショルダストラップを係合するための前記第１のアームの拡張部を更に備えることを特徴とする請求項２記載のレジスタンスチェア。
【請求項４】
前記第１のアームの前記第２の端部に固定される上部背中サポートを更に備えることを特徴とする請求項１記載のレジスタンスチェア。
【請求項５】
腹筋運動を実行する方法であって、以下のステップを含むことを特徴とする腹筋運動を実行する方法。
レジスタンスチェア座部に座るステップであって、前記座部が前方端および後方端を有し、前記レジスタンスチェアがさらに、第１の端部および第２の端部を有する第１のアームであって、前記第１の端部が前記座部の前記後方端を回転可能に係合する第１のアームと、第１の端部および第２の端部を有する第２のアームであって、前記第２の端部が前記第１のアームの前記第２の端部を枢軸で係合する第２のアームと、前記第２のアームの前記第１の端部に固定される回転車軸と、前記回転車軸に固定されて前記第１および第２のアームが、前記座部から離れて完全に拡張した位置まで回転し、かつ枢軸で動くことを可能にする２つ以上のホイールと、前記座部の前記後方端と前記回転車軸との間に固定される一つ以上のレジスタンスバンドと、前記第１のアームに固定され、ユーザの背中をサポートするための背もたれとを含むステップ；
前記第１のアームおよび前記第２のアームが完全に拡張されるまで、前記レジスタンスバンドを拡張するように前記背もたれへ背をそらせるステップ；
前記レジスタンスバンドが開始位置まで前記第１および第２のアームを収縮させるように前かがみになるステップ；
【発明の詳細な説明】
【技術分野】
【０００１】
本発明は、エクササイズ用具に関し、詳しくは低インパクト腹筋運動用具の分野に関する。
【背景技術】
【０００２】
エクササイズおよびフィットネスの時代において、伝統的な腹筋運動は、不適切になされる場合、特に貧弱な体調の人によって実行される場合、場合によっては体を痛めるとして非難にさらされている。必要なのは、誰でも正しい腹筋運動を実行することができ、異なるレベルのレジスタンス（抵抗）またはエクササイズに不慣れな人々に対応する援助を提供することを可能とするエクササイズツールである。
【発明の開示】
【発明が解決しようとする課題】
【０００３】
本発明の課題は、誰でも正しい腹筋運動を実行することができ、異なるレベルのレジスタンス（抵抗）またはエクササイズに不慣れな人々に対応する援助を可能とするレジスタンスチェアを提供することにある。
【課題を解決するための手段】
【０００４】
上記課題は、以下の各発明によって解決される。
【０００５】
請求項１記載の発明は、
前方端および後方端を有する座部；
第１の端部および第２の端部を有する第１のアームであって、前記第１の端部が前記座部の前記後方端を回転可能に係合する第１のアーム；
第１の端部および第２の端部を有する第２のアームであって、前記第２の端部が前記第１のアームの前記第２の端部を枢軸で係合する第２のアーム；
前記第２のアームの前記第１の端部に固定される回転車軸；
前記回転車軸に固定されて前記第１および第２のアームが前記座部から離れて完全に拡張した位置まで回転し、かつ枢軸で動くことを可能にする２つ以上のホイール；
前記座部の前記後方端と前記回転車軸との間に固定される一つ以上のレジスタンスバンドと、前記第１のアームに固定され、ユーザの背中をサポートするための背もたれ；
を備えることを特徴とするレジスタンスチェアである。
【０００６】
請求項２記載の発明は、前記第１のアームの前記第２の端部に固定される一つ以上のショルダストラップを更に備えることを特徴とする請求項１記載のレジスタンスチェアである。
【０００７】
請求項３記載の発明は、前記第２の端部に固定され、前記ショルダストラップを係合するための前記第１のアームの拡張部を更に備えることを特徴とする請求項２記載のレジスタンスチェアである。
【０００８】
請求項４記載の発明は、前記第１のアームの前記第２の端部に固定される上部背中サポートを更に備えることを特徴とする請求項１記載のレジスタンスチェアである。
【０００９】
請求項５記載の発明は、腹筋運動を実行する方法であって、以下のステップを含むことを特徴とする腹筋運動を実行する方法である。
レジスタンスチェア座部に座るステップであって、前記座部が前方端および後方端を有し、前記レジスタンスチェアがさらに、第１の端部および第２の端部を有する第１のアームであって、前記第１の端部が前記座部の前記後方端を回転可能に係合する第１のアームと、第１の端部および第２の端部を有する第２のアームであって、前記第２の端部が前記第１のアームの前記第２の端部を枢軸で係合する第２のアームと、前記第２のアームの前記第１の端部に固定される回転車軸と、前記回転車軸に固定されて前記第１および第２のアームが、前記座部から離れて完全に拡張した位置まで回転し、かつ枢軸で動くことを可能にする２つ以上のホイールと、前記座部の前記後方端と前記回転車軸との間に固定される一つ以上のレジスタンスバンドと、前記第１のアームに固定され、ユーザの背中をサポートするための背もたれとを含むステップ；
前記第１のアームおよび前記第２のアームが完全に拡張されるまで、前記レジスタンスバンドを拡張するように前記背もたれへ背をそらせるステップ；
前記レジスタンスバンドが開始位置まで前記第１および第２のアームを収縮させるように前かがみになるステップ；
【発明の効果】
【００１０】
本発明によると、誰でも正しい腹筋運動を実行することができ、異なるレベルのレジスタンス（抵抗）またはエクササイズに不慣れな人々に対応する援助を可能とするレジスタンスチェアを提供することができる。
【００１１】
本発明は、ホイール付きレジスタンスチェアは、ユーザの動作を導くことによって、かつ腹筋運動をする場合に共通に経験される初めのぐいと動く動作を除去することによって、ユーザが正しい腹筋運動を実行することを補助する。レジスタンスチェアは、ユーザーの背中の支持及び腹筋運動における伸長状態から回復状態までの補助を与える背部補助部を有する枢軸状背部に接続された座部を含む。
【００１２】
動作において、レジスタンスチェアはユーザの背中のサポート、開始位置から拡張位置まで移動する調整可能レジスタンスを提供し、したがって、通常腹筋運動の作用を受けない筋肉を運動させる。レジスタンスチェアの背中サポートおよび調整可能レジスタンスはさらに、ユーザが拡張位置から開始位置まで動く正しい腹筋運動を実行するのを助けるために重力の一部を克服することによってユーザを補助する。
【００１３】
後ろへの動きに対してレジスタンスを与えることによって、ユーザは下側の背中の筋肉を係わらせ、およびそれによって、腹筋の前部および後部を運動させる。背もたれによって、さらにコア回転がユーザに横向きのひねりを実行して、斜紋筋を係わらせることができる能力を提供する。
【発明を実施するための最良の形態】
【００１４】
以下、本発明の実施の形態について図面に基づいて説明する。  
【００１５】
図１および図３を参照して、レジスタンスチェア１０は、第２のアーム１８の第２の端部１７に回動可能に枢支される第１のアーム１５の第１の端部１４に回動可能に枢支される座部１２を含む。第２のアームの第１の端部２０が、車軸２１を係合し、およびホイール２２および２３のような任意の適切なホイールが、図２にて図示したように、拡張位置３０へのレジスタンスチェア１０の拡張を可能にするように車軸２１に固定されることができる。ローラ２４およびまたはショルダサポート２５のような任意の適切な背中サポート要素が第１のアーム１５に固定されることができる。ローラ２４は、第１のアーム１５の任意の適切な位置に固定されることができて、第１のアーム１５に付着点で旋回することができる背もたれ２７のような背もたれに含まれることができる。座部１２は、成形されたプラスチック、金属、フォームまたは木材、鋼鉄およびクッション材料の組合せであることができる。前方端１２Ｆは、背中サポートにわずかな傾斜でユーザを配置するように後方端１２Ｒに対してより高くなることができる。腹筋運動を実行する場合、この配置は最適な快適さを確実にする。
【００１６】
図１の開始位置２８から図２の拡張位置３０まで運動する際、バンド２６のような一つ以上のレジスタンスバンドが、ユーザに選択可能なレジスタンスを与えるのに用いられることができる。レジスタンスバンドはさらに拡張位置３０から開始位置２８まで動く場合、正しい腹筋動作を実行するようにユーザを補助する。レジスタンスバンド２６は、車軸２１に直接固定されるバンド係合要素３３および車軸３２に固定される座部１２のような任意の適切な技術を使用して車軸２１と車軸３２との間に固定されることができる。
【００１７】
任意選択のショルダストラップ３４が、第１のアーム１５と第２のアーム１８との間のヒンジ３５に、または第１のアーム１５からの拡張部分１５Ｂのような拡張部分に取り付けられることができる。ストラップ３４は、引き締め位置を拡張して、開始位置２８を過ぎてそれらの上部本体を前方に動かし続けようとするユーザに、追加的なレジスタンスを与えることができる。これは、引き締めを拡張して、開始位置よりはるかにユーザの腹筋を収縮させて、エクササイズにおいてユーザの腕を係わらせる。
【００１８】
使用中にユーザは、図１の開始位置２８でユーザの背中をバックローラ２４に隣接して座部１２に着席する。ユーザは、バックローラ２４およびショルダサポート２５に対向して押すように、ユーザの背中の筋肉を使用してバックローラ２４およびショルダサポート２５に対向して背中をもたせかけなければならない。ホイール２２および２３は、ユーザから遠ざかるように回り始め、および、第１のアーム１５および第２のアーム１８が図２の拡張位置３０におけるように地面と平行して水平位置に折りたたむことができる。図１の開始位置２８から図２の拡張位置３０への移動が、レジスタンスバンド２６を引き伸ばす。引き伸ばされたレジスタンスバンド２６内にたくわえられるエネルギーが、ユーザの上体の重力の一部に対抗して、ユーザが図２の拡張位置３０から図１の少なくとも開始位置２８までユーザの上体を戻すように腹筋運動を実行するのを補助する。これらの動作を実行することによってユーザは、背中サポートとともに腹筋運動を実行しており、および、下側の背中の筋肉を引き伸ばすレジスタンスは、後方に押す場合ユーザにより多くの筋肉を使用することを強制し、かつ、ユーザが完全に拡張した位置から垂直な開始位置まで動く時にユーザをサポートし、それによってより快適な、効果的なエクササイズを作り出す。
【００１９】
装置および方法の好適な実施態様が、それらが開発された環境に関して記載されたとはいえ、それらは単に発明の原理の例証となるだけである。他の実施態様および構成が、本発明の趣旨および添付の特許請求の範囲の目的から逸脱することなく、考案されることができる。
【図面の簡単な説明】
【００２０】
【図１】開始位置におけるレジスタンスチェアの斜視図
【図２】拡張位置における図１のレジスタンスチェアの斜視図
【図３】図１のレジスタンスチェアの分解図
【符号の説明】
【００２１】
１０    レジスタンスチェア
１２    座部
１２Ｆ  前方端
１２Ｒ  後方端
１４    第１のアームの第１の端部
１５    第１のアーム
１５Ｂ  拡張部分
１７    第２のアームの第２の端部
１８    第２のアーム
２０    第２のアームの第１の端部
２１    車軸
２２および２３  ホイール
２４    バックローラ
２５    ショルダサポート
２６    レジスタンスバンド
２７    背もたれ
２８    開始位置
３０    拡張位置
３２    車軸
３３    バンド係合要素
３４    ストラップ
３５    ヒンジ
【図１】
2009533158.tif 000003
【図２】
2009533158.tif 000004
【図３】
2009533158.tif 000005
【国際調査報告】
2009533158.tif 000006